(57)【要約】【課題】吸上芯の挿入を容易としつつ転倒時のこぼれを抑制することができる揮散装置を提供する。【解決手段】容器体１１の口部２４に装着されるキャップ３２に、内側へ突出して貫通穴３１の内径寸法を狭くする細挟部３４を形成し、細挟部３４の内側に容器体１１内に連通する開口部３５を形成する。貫通穴３１の内径寸法を、貫通穴３１の上端から細挟部３４へ向かうに従って狭くなるように設定し、細挟部３４内側の開口部３５の上方外周部に、外周縁より開口部３５へ向かうに従って下方に傾斜した上部傾斜面４１を形成する。開口部３５を、所定数の吸上芯１２が挿入できる大きさに設定する。【選択図】図１
2011004867.tif 000002
【特許請求の範囲】
【請求項１】
複数の吸上芯を容器体内に連通した開口部に挿入し、前記容器体内の液状薬剤を前記各吸上芯で吸い上げて前記容器体より延出した前記各吸上芯の部位から揮散する揮散装置において、
前記開口部の外周部を、該開口部から上方へ向かうに従って外周方向に向けて傾斜する傾斜面で構成し、上方へ向かうに従って拡開する拡開形状に形成したことを特徴とする揮散装置。
【請求項２】
前記開口部を包囲する細挟部の下側面に下方へ向かうに従って外周方向に向けて傾斜した下部傾斜面を形成し、下方へ向かうに従って拡開する拡開形状を構成したことを特徴とする請求項１記載の揮散装置。
【請求項３】
前記容器体の口部に装着される装着ユニットを、前記口部に装着される筒状のユニット本体と、該ユニット本体内に保持された被保持体とで構成し、
該被保持体に前記容器体内部と外部とを連通する貫通穴を設けるとともに、該貫通穴の中途部に幅狭の細挟部を設定し、
前記貫通穴の内径寸法が当該貫通穴の端から前記細挟部へ向かうに従って狭くなるように設定して前記細挟部が構成する前記開口部の外周部に前記傾斜面を形成したことを特徴とする請求項１記載の揮散装置。
【請求項４】
前記吸上芯を円柱状部材で構成するとともに、前記開口部の開口縁部を、外側へ突出した円弧が複数連続する波形状に形成したことを特徴とする請求項１、２又は３記載の揮散装置。
【発明の詳細な説明】
【技術分野】
【０００１】
本発明は、液状成分を揮散する揮散装置に関する。
【背景技術】
【０００２】
従来、容器体に収容された芳香液や消臭液等の液状薬剤を揮散する揮散装置が知られている。
【０００３】
この揮散装置としては、容器体に複数の吸上芯を挿入し、吸い上げた液状薬剤を、容器体から延出した部分より揮散するいわゆるリードディフューザータイプの揮散装置が知られている。
【０００４】
このリードディフューザータイプの揮散装置は、図８に示すように、液状薬剤２０１を収容した容器体２０２を備えてなり、該容器体２０２に設けられた口部２０３の開口部２０４には、複数の吸上芯２０５，・・・が挿入されている。
【０００５】
各吸上芯２０５，・・・は、その基端部が前記容器体２０２の底部に達するとともに、先端部が前記口部２０３より上方に延出するように構成されており、前記容器体２０２に収容された前記液状薬剤２０１を基端部から吸い上げて先端部より揮散できるように構成されている。
【発明の概要】
【発明が解決しようとする課題】
【０００６】
しかしながら、このような従来の揮散装置２１１にあっては、吸上芯２０５，・・・を挿入する為に容器体２０２の口部２０３の開口面積が大きいため、当該容器体２０２が倒れた際に収容された液状薬剤２０１がこぼれ易いという問題があった。
【０００７】
本発明は、このような従来の課題に鑑みてなされたものであり、吸上芯の挿入を容易としつつ転倒時のこぼれを抑制することができる揮散装置を提供することを目的とするものである。
【課題を解決するための手段】
【０００８】
前記課題を解決するために本発明の請求項１の揮散装置にあっては、複数の吸上芯を容器体内に連通した開口部に挿入し、前記容器体内の液状薬剤を前記各吸上芯で吸い上げて前記容器体より延出した前記各吸上芯の部位から揮散する揮散装置において、前記開口部の外周部を、該開口部から上方へ向かうに従って外周方向に向けて傾斜する傾斜面で構成し、上方へ向かうに従って拡開する拡開形状に形成した。
【０００９】
すなわち、複数の吸上芯が挿入される開口部の外周部は、該開口部から上方へ向かうに従って外周方向に向けて傾斜する傾斜面で構成されており、複数の吸上芯を束ねて前記開口部に挿入する際に、外側に配置された吸上芯が前記開口部外周部の傾斜面に干渉した場合であっても、これらの吸上芯を、前記傾斜面に沿って前記開口部へ案内することができる。このため、前記開口部の開口面積を最小限に抑えることができる。
【００１０】
そして、前記開口部の外周部には、該開口部から上方へ向かうに従って外周方向に向けて傾斜する傾斜面で構成されており、前記開口部に挿入された複数の吸上芯は、前記傾斜面側への傾倒が許容される。
【００１１】
また、請求項２の揮散装置においては、前記開口部を包囲する細挟部の下側面に下方へ向かうに従って外周方向に向けて傾斜した下部傾斜面を形成し、下方へ向かうに従って拡開する拡開形状を構成した。
【００１２】
すなわち、前記開口部の外周部における下部には、下方へ向かうに従って外周方向に向けて傾斜した下部傾斜面を形成されており、下方へ向かうに従って拡開する拡開形状を構成されている。
【００１３】
このため、前記開口部に挿入された複数の吸上芯は、前記傾斜面側へ傾倒された状態で、前記下部傾斜面への干渉が防止される。
【００１４】
さらに、請求項３の揮散装置では、前記容器体の口部に装着される装着ユニットを、前記口部に装着される筒状のユニット本体と、該ユニット本体内に保持された被保持体とで構成し、該被保持体に前記容器体内部と外部とを連通する貫通穴を設けるとともに、該貫通穴の中途部に幅狭の細挟部を設定し、前記貫通穴の内径寸法が当該貫通穴の端から前記細挟部へ向かうに従って狭くなるように設定して前記細挟部が構成する前記開口部の外周部に前記傾斜面を形成した。
【００１５】
すなわち、容器体の口部に装着される装着ユニットは、前記口部に装着される筒状のユニット本体と、該ユニット本体内に保持された被保持体とで構成されており、該被保持体に設けられた貫通穴の中途部には、幅狭の細挟部が設定されている。これにより、前記貫通穴の内径寸法は、その端から前記細挟部へ向かうに従って狭くなるように設定されており、前記細挟部が構成する前記開口部の外周部に前記傾斜面が形成されている。
【００１６】
このため、この装着ユニットを、液状薬剤を収容した容器体の口部に装着するだけで、前述した構成を形成することができ、前述した作用を奏することができる。
【００１７】
加えて、請求項４の揮散装置にあっては、前記吸上芯を円柱状部材で構成するとともに、前記開口部の開口縁部を、外側へ突出した円弧が複数連続する波形状に形成した。
【００１８】
すなわち、前記吸上芯は、円柱状部材で構成されており、前記開口部の開口縁部は、外側へ突出した円弧が複数連続する波形状に形成されている。
【００１９】
このため、前記開口部に挿入された状態で外周部に配置される吸上芯は、前記開口縁部に形成された円弧状の円弧部内に配置される。
【発明の効果】
【００２０】
以上説明したように本発明の請求項１の揮散装置にあっては、複数の吸上芯を束ねた状態で大まかに前記開口部に合わせてセットするだけで、前記開口部に位置した吸上芯は直接、また前記傾斜面に当接した吸上芯にあっては当該傾斜面でガイドすることによって、前記開口部に挿入することができる。
【００２１】
これにより、前記開口部への複数の前記吸上芯の挿入を容易に行うことができる。
【００２２】
また、前記傾斜面に当接した吸上芯を前記開口部に案内できることから、前記開口部の開口面積を、前記複数の吸上芯を挿入可能な大きさまで小さくすることができる。
【００２３】
これにより、転倒時に前記開口部からこぼれ出る液状薬剤の流出量を抑えることができる。
【００２４】
したがって、前記吸上芯の挿入を容易としつつ、転倒時での液状薬剤の不用意なこぼれを抑制することができる。
【００２５】
そして、前記開口部の外周部には、前記開口部へ向かうに従って下方に傾斜した傾斜面が形成されており、前記開口部に挿入された複数の吸上芯は、前記傾斜面側への傾倒が許容され、外側へ傾斜することができる。
【００２６】
これにより、前記開口部に挿入された複数の吸上芯を放射状に延出することができ、美観を高めることができる。そして、前記吸上芯を放射状に延出することで、前記液状薬剤の揮散範囲を拡大することができる。
【００２７】
また、請求項２の揮散装置においては、前記開口部の外周部における下部に下方へ向かうに従って外周方向に向けて傾斜した下部傾斜面を形成されており、下方へ向かうに従って拡開する拡開形状を構成されている。
【００２８】
このため、前記開口部に挿入された複数の吸上芯は、前記傾斜面側へ傾倒された状態において、前記下部傾斜面への干渉が防止される。
【００２９】
さらに、請求項３の揮散装置では、前記装着ユニットを、液状薬剤を収容した容器体の口部に装着するだけで、前述した構成を形成することができる。これにより、前述した作用効果を奏することができる。
【００３０】
そして、前記装着ユニットを、容器体の口部に装着するだけで、前述した構成を形成することができるため、汎用性を高めることができる。
【００３１】
さらに、請求項４の揮散装置にあっては、前記開口部に挿入された複数の吸上芯において、外周部に配置された吸上芯を、前記開口縁部に形成された円弧状の円弧部内に配置することができる。
【００３２】
これにより、円柱状の吸上芯と開口縁との間に形成される隙間を小さくすることができ、転倒時の液漏れ防止効果を高めることができる。
【図面の簡単な説明】
【００３３】
【図１】本発明の第一の実施の形態を示す説明図である。
【図２】同実施の形態の要部を示す拡大図である。
【図３】実施の形態の開口部を示す平面図である。
【図４】同実施の形態の使用状態を示す説明図である。
【図５】同実施の形態の使用状態を示す図で、（ａ）は容器体が水平方向に倒れた状態を示す説明図であり、（ｂ）は容器体の口部が下方へ向けて傾斜するように転倒した状態を示す説明図である。
【図６】本発明の第二の実施の形態を示す説明図である。
【図７】本発明の第三の実施の形態を示す説明図である。
【図８】従来の揮散装置を示す説明図である。
【発明を実施するための形態】
【００３４】
（第一の実施の形態）
【００３５】
以下、本発明の第一の実施の形態を図に従って説明する。
【００３６】
図１は、本実施の形態にかかる揮散装置１を示す図であり、該揮散装置１は、芳香液や消臭液等の液状薬剤２を揮散するものである。
【００３７】
この揮散装置１は、前記液状薬剤２を収容した容器体１１と、該容器体１１に収容された前記液状薬剤２を吸い上げて揮散する複数の吸上芯１２，・・・とによって構成されている。
【００３８】
前記容器体１１は、円形の底面２１を備えており、該底面２１の周縁からは、円筒状の周壁２２が上方へ向けて延出している。該周壁２２の上縁からは、中心方向へ向けてショルダー部２３が延出しており、該ショルダー部２３の中心部には、円筒状の口部２４が上方へ向けて延出している。該口部２４内径寸法は、前記周壁２２の内径寸法より小さな値に設定されており、当該口部２４の外周面には、雄ねじ部２５が一体形成されている。
【００３９】
この口部２４には、図２にも示したように、貫通穴３１を有した円筒状のキャップ３２が装着されており、該キャップ３２の内側面には、前記口部２４の前記雄ねじ部２５に螺合する雌ねじ部３３が下部側に一体形成されている。前記キャップ３２の上部側には、内側に突出して前記貫通穴３１の内径寸法を狭くする細挟部３４が形成されており、該細挟部３４の内側には、前記容器体１１内に連通する円形の開口部３５が形成されている。
【００４０】
前記貫通穴３１の内径寸法は、当該貫通穴３１の上端から前記細挟部３４へ向かうに従って狭くなるように設定されており、前記細挟部３４内側の前記開口部３５の上方外周部には、該開口部３５から上方へ向かうに従って外周方向に向けて傾斜する上部傾斜面４１が形成されている。
【００４１】
これにより、上方へ向かうに従って拡開する拡開形状が形成されている。
【００４２】
また、前記貫通穴３１の内径寸法は、前記細挟部３４より下方に位置した前記雌ねじ部３３へ向かうに従って広くなるように設定されており、前記開口部３５の下方外周部には、当該下方へ向かうに従って外周方向に傾斜した下部傾斜面５１が形成されている。
【００４３】
これにより、下方へ向かうに従って拡開する拡開形状が形成されている。
【００４４】
前記開口部３５における内径寸法は、前記吸上芯１２，・・・を所定数挿入できる大きさに設定されており、複数の吸上芯１２，・・・を挿入できるように構成されている。
【００４５】
この開口部３５の開口縁部６１は、図３に示すように、円周方向に連続して並設された複数の円弧部６２，・・・によって形成されており、各円弧部６２，・・・は、外周方向へ向けて突出した円弧状に形成されている。これにより、前記開口縁部６１は、波形状に形成されている。
【００４６】
前記各吸上芯１２，・・・は、図１に示したように、葦などの円柱状部材によって構成されており、基端部を前記液状薬剤２に浸した際に当該液状薬剤２を先端まで吸い上げるように構成されている。この吸上芯１２，・・・の長さ寸法は、前記容器体１１の前記底面２１から前記キャップ３２の上端までの高さ寸法より十分長い寸法に設定されており、当該吸上芯１２，・・・を前記容器体１１に挿入し、その基端を前記底面２１に接触させた状態において、その先端部が前記キャップ３２の上縁より上方へ延出するように構成されている。
【００４７】
これにより、所定数の吸上芯１２，・・・を、前記キャップ３２に形成された前記開口部３５に挿入し、その基端部を前記容器体１１内の前記液状薬剤２に浸けることによって、該液状薬剤２を前記各吸上芯１２，・・・で吸い上げて、前記容器体１１より延出した前記各吸上芯１２，・・・の先端部から揮散できるように構成されている。
【００４８】
そして、図３に示したように、前記キャップ３２の前記開口縁部６１に形成された前記円弧部６２，・・・の内径寸法は、前記吸上芯１２，・・・の外形寸法に合わせて設定されており、該吸上芯１２を前記円弧部６２に合わせた状態で、当該吸上芯１２の外周面が前記円弧部６２に密着するように構成されている。
【００４９】
以上の構成にかかる本実施の形態において、複数の吸上芯１２，・・・が挿入されるキャップ３２の開口部３５の上方外周部は、当該開口部３５から上方へ向かうに従って外周方向に向けて傾斜する上部傾斜面４１で構成されており、複数の吸上芯１２，・・・を束ねて前記開口部３５に挿入する際に、外側に配置された吸上芯１２，・・・が前記開口部３５外周部の前記上部傾斜面４１に干渉した場合であっても、これらの吸上芯１２，・・・を、前記上部傾斜面４１に沿って前記開口部３５へ案内することができる。
【００５０】
このため、複数の吸上芯１２，・・・を束ねた状態で大まかに前記開口部３５に合わせてセットするだけで、該開口部３５に位置した吸上芯１２，・・・は直接、また前記上部傾斜面４１に当接した吸上芯１２，・・・にあっては当該上部傾斜面４１でガイドすることにより、前記開口部３５に挿入することができる。
【００５１】
これにより、当該開口部３５への複数の前記吸上芯１２，・・・の挿入を容易に行うことができる。
【００５２】
また、前記上部傾斜面４１に当接した吸上芯１２，・・・を前記開口部３５に案内できることから、該開口部３５の開口面積を、前記所定数の吸上芯１２，・・・を挿入可能な大きさまで小さくすることができる。
【００５３】
これにより、図４に示したように、容器体１１転倒時に前記開口部３５からこぼれ出る液状薬剤２の流出量を抑えることができる。
【００５４】
したがって、前記吸上芯１２，・・・の挿入を容易としつつ、転倒時での液状薬剤２の不用意なこぼれを抑制することができる。
【００５５】
このとき、図５の（ａ）に示したように、前記容器体１１が水平方向に倒れた場合、前記開口部３５を挿通した前記吸上芯１２は、前記細挟部３４の頂点を境とした前記容器体１１内側の部位が前記下部傾斜面５１の上側に密接する一方、前記容器体１１外側の部位が前記上部傾斜面４１の下側に密接することとなる。
【００５６】
すると、当該吸上芯１２は、前記開口部３５をさらに閉鎖する効果を発揮し、当該開口部３５からの前記液状薬剤２の漏れ防止効果を高めることができる。
【００５７】
また、図５の（ｂ）に示したように、前記容器体１１の口部２４が下方へ向けて傾斜した状態で転倒した場合、前記開口部３５を挿通した前記吸上芯１２は、前記細挟部３４の頂点を境として、前記容器体１１内側の部位が前記下部傾斜面５１の下側に密接する一方、前記容器体１１外側の部位が前記上部傾斜面４１の上側に密接することとなる。
【００５８】
これによっても、当該吸上芯１２は、前記開口部３５をさらに閉鎖する効果を発揮し、当該開口部３５からの前記液状薬剤２の漏れ防止効果を高めることができる。
【００５９】
このように、転倒時における前記液状薬剤２の漏れを抑制することができる。
【００６０】
そして、前記開口部３５の外周部には、当該開口部３５から上方へ向かうに従って外周方向に向けて傾斜する上部傾斜面４１が形成されており、前記開口部３５に挿入された前記所定数の吸上芯１２，・・・は、前記上部傾斜面４１側への傾倒が許容される。
【００６１】
また、前記開口部３５の外周部における下面には、下方へ向かうに従って外周方向に向けて傾斜した下部傾斜面５１を形成されており、下方へ向かうに従って拡開する拡開形状を構成されている。
【００６２】
このため、前記開口部３５に挿入された各吸上芯１２，・・・は、前記上部傾斜面４１側へ傾倒された状態において、前記下部傾斜面５１への干渉が防止される。
【００６３】
これにより、前記開口部３５に挿入された前記所定数の吸上芯１２，・・・を、図１に示したように、放射状に延出することができ、美観を高めることができる。また、前記吸上芯１２，・・・を放射状に延出することで、前記液状薬剤２の拡散量を増大することができる。
【００６４】
さらに、前記吸上芯１２，・・・は、円柱状部材で構成されており、前記開口部３５の開口縁部６１は、外側へ突出した円弧部６２，・・・が複数連続する波形状に形成されている。
【００６５】
このため、前記開口部３５に挿入された複数の吸上芯１２，・・・において、外周部に配置された吸上芯１２，・・・を、前記開口縁部６１に形成された円弧状の円弧部６２，・・・内に配置することができる。
【００６６】
これにより、円柱状の吸上芯１２，・・・と前記開口縁部６１との間に形成される隙間を小さくすることができ、転倒時の液漏れ防止効果を高めることができる。
【００６７】
そして、前記開口部３５を備えた前記キャップ３２を、前記液状薬剤２を収容した容器体１１の口部２４に螺着するだけで、前述した構成を形成することができる。これにより、前述した作用効果を奏することができる。
【００６８】
なお、本実施の形態にあっては、前記キャップ３２の内側面において、上部側の中途部に内側に突出した細挟部３４を形成し、該細挟部３４が構成する前記開口部３５より上側に前記上部傾斜面４１を形成するとともに、下側に前記下部傾斜面５１を形成した場合に付いて説明したが、これに限定されるものではない。
【００６９】
（第二の実施の形態）
【００７０】
すなわち、図６に示すように、前記細挟部３４を、前記雌ねじ部３３の直近位置に設定することで、前記キャップ３２の内側面に前記開口部３５へ向かうに従って下方に傾斜した上部傾斜面４１のみを形成しても良く、この場合においても、前述と同様の作用効果を得ることができる。
【００７１】
（第三の実施の形態）
【００７２】
図７は、本発明の第三の実施の形態に係る揮散装置１０１を示す図であり、第一の実施の形態と同一又は同等部分に付いては同符号を付して説明を割愛するとともに、異なる部分に付いてのみ説明する。
【００７３】
すなわち、この揮散装置１０１は、前記容器体１１の前記口部２４に装着される装着ユニット１１１を備えており、該装着ユニット１１１は、前記口部２４に装着される筒状のユニット本体１１２と、該ユニット本体１１２内に保持された被保持体１１３とで構成されている。
【００７４】
前記ユニット本体１１２の内側面には、前記口部２４の前記雄ねじ部２５に螺合する雌ねじ部１２１が下部側に一体形成されており、該雌ねじ部１２１の上側には、内周面より内側へ向けて延出したリング状の棚部１２２が一体形成されている。この棚部１２２の中央には、下部円形穴１２３が形成されており、前記口部２４を介して前記容器体１１内に連通するように構成されている。
【００７５】
また、前記ユニット本体１１２の上端部には、上部雌ねじ部１３１が外周面に形成されており、当該ユニット本体１１２の上端部にキャップ１３２を装着できるように構成されている。
【００７６】
該キャップ１３２は、円筒状の胴部１４１と、該胴部１４１の上端に形成された天面１４２とによって構成されている。前記胴部１４１の内側面には、前記ユニット本体１１２の前記上部雌ねじ部１３１と螺合する上部雄ねじ部１４３が一体形成されており、当該キャップ１３２を、前記ユニット本体１１２に螺着できるように構成されている。前記天面１４２の中央部には、上部円形穴１４４が開設されており、前記下部円形穴１２３及び前記口部２４を介して、前記容器体１１内に連通するように構成されている。
【００７７】
このキャップ１３２の前記天面１４２と前記ユニット本体１１２に形成された前記棚部１２２との間には、収容空間１５１が形成されており、該収容空間１５１には、前記非保持体１１３が収容されている。
【００７８】
該被保持体１１３は、略球形に形成されており、当該被保持体１１３には、上下に貫通する貫通穴１６１が形成されている。該貫通穴１６１の上端は、前記キャップ１３２に開設された前記上部円形穴１４４に対向するように構成されており、前記貫通穴１６１の下端は、前記ユニット本体１１２に形成された前記下部円形穴１２３に対向するように構成されている。これにより、前記被保持体１１３に形成された前記貫通穴１６１は、前記容器体１１の内部と外部とを連通するように構成されている。
【００７９】
この貫通穴１６１の中途部には、内側に突出して幅狭部分を形成する細挟部１７１が設定されており、該細挟部１７１の内側には、前記容器体１１内に連通する円形の開口部１７２が形成されている。
【００８０】
前記貫通穴１６１の内径寸法１８１は、当該貫通穴１６１の上端から前記細挟部１７１へ向かうに従って狭くなるように構成されており、前記細挟部１７１内側の前記開口部１７２の上方外周部には、外縁部より前記開口部１７２へ向かうに従って下方に傾斜した上部傾斜面１８２が形成されている。
【００８１】
また、前記貫通穴１６１の内径寸法１８１は、前記細挟部１７１より当該貫通穴１６１の下端へ向かうに従って広くなるように設定されており、前記開口部１７２の下方外周部には、下方へ向かうに従って外周方向に傾斜した下部傾斜面１９１が形成されている。
【００８２】
前記開口部１７２における内径寸法１８１は、前記吸上芯１２，・・・を所定数挿入できる大きさに設定されており、複数の吸上芯１２，・・・を挿入できるように構成されている。
【００８３】
この開口部１７２の開口縁部６１も、図３に示したように、円周方向に連続して並設された複数の円弧部６２，・・・によって形成されており、各円弧部６２，・・・は、外周方向へ向けて突出した円弧状に形成されている。これにより、前記開口縁部６１は、波形状に形成されている。
【００８４】
前記各吸上芯１２，・・・は、図１に示したように、葦などの円柱状部材によって構成されており、基端部を前記液状薬剤２に浸した際に当該液状薬剤２を先端まで吸い上げるように構成されている。この吸上芯１２，・・・の長さ寸法は、前記容器体１１の前記底面２１から前記装着ユニット１１１における前記キャップ１３２の前記天面１４２までの高さ寸法より十分長い寸法に設定されており、当該吸上芯１２，・・・を前記容器体１１に挿入し、その基端を前記底面２１に接触させた状態において、その先端部が前記キャップ１３２の上端より上方へ延出するように構成されている。
【００８５】
これにより、所定数の吸上芯１２，・・・を、前記装着ユニット１１１に設けられた前記被保持体１１３の前記開口部１７２を介して前記容器体１１に挿入し、その基端部を該容器体１１内の前記液状薬剤２に浸けることによって、該液状薬剤２を前記各吸上芯１２，・・・で吸い上げて、前記装着ユニット１１１より延出した前記各吸上芯１２，・・・の先端部から揮散できるように構成されている。
【００８６】
そして、図３に示したように、前記被保持体１１３の前記開口部１７２における前記開口縁部６１の前記円弧部６２，・・・の内径寸法は、前記吸上芯１２，・・・の外形寸法に合わせて設定されており、該吸上芯１２を前記円弧部６２に合わせた状態で、当該吸上芯１２の外周面が前記円弧部６２に密着するように構成されている。
【００８７】
以上の構成にかかる本実施の形態においも、前述した第一の実施の形態と同様の作用効果を得ることができる。
【００８８】
これに加えて、前記装着ユニット１１１を、液状薬剤２を収容した容器体１１の口部２４に装着するだけで、第一の実施の形態と同様の構成を形成することができ、前述した作用効果を奏することができる。
【００８９】
そして、前記装着ユニット１１１を、前記容器体１１の口部２４に装着するだけで、前述した構成を形成することができることから、一般的な芳香剤や消臭剤の容器体１１の口部２４に合わせて前記装着ユニット１１１を形成することにより、当該装着ユニット１１１を広範囲に適用することができ、汎用性を高めることができる。
【符号の説明】
【００９０】
１    揮散装置
２    液状薬剤
１１    容器体
１２    吸上芯
２４    口部
３２    キャップ
３５    開口部
４１    上部傾斜面
６１    開口縁部
６２    円弧部
１０１    揮散装置
１１１    装着ユニット
１１２    ユニット本体
１１３    被保持体
１６１    貫通穴
１７１    細挟部
１７２    開口部
１８１    内径寸法
１８２    上部傾斜面
【図１】
2011004867.tif 000003
【図２】
2011004867.tif 000004
【図３】
2011004867.tif 000005
【図４】
2011004867.tif 000006
【図５】
2011004867.tif 000007
【図６】
2011004867.tif 000008
【図７】
2011004867.tif 000009
【図８】
2011004867.tif 000010